(57)【要約】【課題】排紙段に出力された印刷物の最終ページの画像をプレビューで確認することができ、直接排紙段を確認しにいくことなく、自分の印刷物がどの排紙段に出力されたかを確認することができる画像形成装置を提供すること。【解決手段】複数の排紙口を有する画像形成装置であって、排紙口ごとに最後に出力した画像を保存しておく保存手段と、前記保存手段で保存された画像を表示する表示手段と、複数の排紙口の中から何れかの排紙口を指定する指定手段を有し、前記指定手段で何れかの排紙口が指定されたとき、前記画像保存手段で保存されているその排紙口に対応する画像を前記表示手段で表示するように構成する。【選択図】図１
2006264193.tif 000002
【特許請求の範囲】
【請求項１】
複数の排紙口を有する画像形成装置であって、
排紙口ごとに最後に出力した画像を保存しておく保存手段と、前記保存手段で保存された画像を表示する表示手段と、複数の排紙口の中から何れかの排紙口を指定する指定手段を有し、前記指定手段で何れかの排紙口が指定されたとき、前記画像保存手段で保存されているその排紙口に対応する画像を前記表示手段で表示することを特徴とする画像形成装置。
【請求項２】
複数の排紙口を有する画像形成装置であって、
排紙口ごとに最後に出力した画像を保存しておく保存手段と、排紙口から紙を取り除かれたことを検知する検知手段と、前記保存手段で保存された画像を削除する削除手段を有し、前記検知手段で排紙口から紙が取り除かれたことを検知したとき、その排紙口に対応する画像を前記削除手段により削除することを特徴とする画像形成装置。
【請求項３】
複数の排紙口を有する画像形成装置であって、
排紙口ごとに最後に出力した画像を保存しておく保存手段と、前記保存手段で保存された画像を表示する表示手段と、複数の排紙口の中から何れかの排紙口を指定する指定手段と、前記指定手段で指定された排紙口に対応する画像が前記保存手段により保存されているかを判断する判断手段を有し、前記指定手段で何れかの排紙口が指定されたとき、前記判断手段によりその排紙口に対応する画像が存在するかを判断し、存在する場合は前記表示手段により画像を表示し、存在しない場合は画像を表示しないことを特徴とする画像形成装置。
【発明の詳細な説明】
【技術分野】
【０００１】
本発明は、スキャナ・プリンタ・ネットワークインターフェイス・画像処理システムを持つ画像処理装置に関するもので、特に、複数の排紙口を持つ画像形成装置の制御方法に関するものである。
【背景技術】
【０００２】
従来、複数の排紙口を有する画像形成装置おいて、どの排紙口に自分の印刷物を出力すべきかを印刷開始前に設定することができる。（特許文献１参照）
【特許文献１】特開２００２−１１３９３０号公報
【発明の開示】
【発明が解決しようとする課題】
【０００３】
しかしながら、印刷開始前のどこに設定したかを忘れたり、設定せずに印刷を開始してしまった等、どの排紙口に自分の印刷物が出力されているか分からない場合、自分の出力物を得るためには排紙口の場所へ行き、各排紙口を確認していかなければならない。特に、裏面排紙や排紙口の多いソーターは確認が煩わしい。
【０００４】
本発明は、上記問題に鑑みてなされたもので、その目的とする処は、排紙段に出力された印刷物の最終ページの画像をプレビューで確認することができ、直接排紙段を確認しにいくことなく、自分の印刷物がどの排紙段に出力されたかを確認することができる画像形成装置を提供することである。
【課題を解決するための手段】
【０００５】
上記課題を達成するため、請求項１記載の発明は、複数の排紙口を有する画像形成装置であって、排紙口ごとに最後に出力した画像を保存しておく保存手段と、前記保存手段で保存された画像を表示する表示手段と、複数の排紙口の中から何れかの排紙口を指定する指定手段を有し、前記指定手段で何れかの排紙口が指定されたとき、前記画像保存手段で保存されているその排紙口に対応する画像を前記表示手段で表示するように構成する。
【０００６】
請求項２記載の発明は、複数の排紙口を有する画像形成装置であって、排紙口ごとに最後に出力した画像を保存しておく保存手段と、排紙口から紙を取り除かれたことを検知する検知手段と、前記保存手段で保存された画像を削除する削除手段を有し、前記検知手段で排紙口から紙が取り除かれたことを検知したとき、その排紙口に対応する画像を前記削除手段により削除するように構成する。
【０００７】
請求項３記載の発明は、複数の排紙口を有する画像形成装置であって、排紙口ごとに最後に出力した画像を保存しておく保存手段と、前記保存手段で保存された画像を表示する表示手段と、複数の排紙口の中から何れかの排紙口を指定する指定手段と、前記指定手段で指定された排紙口に対応する画像が前記保存手段により保存されているかを判断する判断手段を有し、前記指定手段で何れかの排紙口が指定されたとき、前記判断手段によりその排紙口に対応する画像が存在するかを判断し、存在する場合は前記表示手段により画像を表示し、存在しない場合は画像を表示しないように構成する。
【発明の効果】
【０００８】
本発明によれば、操作部１５０の液晶パネル上で排紙段を選択することにより、その排紙段に出力された印刷物の最終ページの画像をプレビューで確認することができるため、直接排紙段を確認しにいくことなく、自分の印刷物がどの排紙段に出力されたかを確認することができる。
【発明を実施するための最良の形態】
【０００９】
＜実施の形態１＞
本発明の実施の形態に係る画像入出力システムの全体構成を、図１を参照しながら説明する。
【００１０】
リーダー部（画像入力装置）２００は、原稿画像を光学的に読み取り、画像データに変換する。リーダー部２００は、原稿を読取るための機能を持つスキャナユニット２１０と、原稿用紙を搬送するための機能を持つ原稿給紙ユニット２５０とで構成される。
【００１１】
プリンタ部（画像出力装置）３００は、記録紙を搬送し、その上に画像データを可視画像として印字して装置外に排紙する。プリンタ部３００は、複数種類の記録紙カセットを持つ給紙ユニット３１０と、画像データを記録紙に転写、定着させる機能を持つマーキングユニット３２０と、印字された記録紙をソート、ステイプルして機外へ出力する機能を持つ排紙ユニット３３０とで構成される。
【００１２】
制御装置１１０は、リーダー部２２０、プリンタ部３００と電気的に接続され、更に、ネットワーク４００を介して、ホストコンピュータ４０１、４０２、デジタル複写機４０３と接続されている。
【００１３】
制御装置１１０は、リーダー部２００を制御して原稿の画像データを読込み、プリンタ部３００を制御して画像データを記録用紙に出力し、コピー機能を提供する。又、リーダー部２００から読み取った画像データをコードデータに変換し、ネットワーク４００を介してホストコンピュータへ送信するスキャナ機能、ホストコンピュータからネットワーク４００を介して受信したコードデータを画像データに変換し、プリンタ部３００に出力するプリンタ機能を提供する。
【００１４】
操作部１５０は、制御装置１１０に接続され、液晶タッチパネルで構成された画像入出力システムを操作するためのユーザＩ／Ｆを提供する。
図２はリーダー部２００及びプリンタ部３００の概観図である。
【００１５】
リーダー部の原稿給送ユニット２５０は原稿を先頭順に１枚ずつプラテンガラス２１１上へ給送し、原稿の読み取り動作終了後、プラテンガラス２１１上の原稿を排出するものである。原稿がプラテンガラス２１１上に搬送されると、ランプ２１２を点灯し、そして、光学ユニット２１３の移動を開始させ、原稿を露光走査する。この時の原稿からの反射光は、ミラー２１４、２１５、２１６及びレンズ２１７によってＣＣＤイメージセンサ（以下ＣＣＤという）２１８へ導かれる。このように、走査された原稿の画像はＣＣＤ２１８によって読み取られる。
【００１６】
２２２は、リーダー画像処理回路部であり、ＣＣＤ２１８から出力される画像データに所定の処理を施し、スキャナＩ／Ｆ１４０を介して制御装置１１０へと出力するところである。
【００１７】
３５２は、プリンタ画像処理回路部であり、プリンタＩ／Ｆ１４５を介して制御装置１１０から送られる画像信号をレーザードライバへと出力するところである。
【００１８】
プリンタ部３００のレーザドライバ３１７は、レーザ発光部３１３、３１４、３１５、３１６を駆動するものであり、プリンタ画像処理部３５２から出力された画像データに応じたレーザ光をレーザ発光部３１３、３１４、３１５、３１６を発光させる。このレーザ光はミラー３４０、３４１、３４２、３４３、３４４、３４５、３４６、３４７、３４８、３４９、３５０、３５１によって感光ドラム３２５、３２６、３２７、３２８に照射され、感光ドラム３２５、３２６、３２７、３２８にはレーザ光に応じた潜像が形成される。３２１、３２２、３２３、３２４は、それぞれブラック（Ｂｋ）、イエロー（Ｙ）、シアン（Ｃ）、マゼンダ（Ｍ）のトナーによって、潜像を現像するための現像器であり、現像された各色のトナーは、用紙に転写されフルカラーのプリントアウトがなされる。
【００１９】
用紙カセット３６０、３６１及び手差しトレイ３６２の何れかより、レーザ光の照射開始と同期したタイミングで給紙された用紙は、レジストローラ３３３を経て、転写ベルト３３４上に吸着され、搬送される。そして、感光ドラム３２５、３２６、３２７、３２８に付着された現像剤を記録紙に転写する。現像剤の乗った記録紙は、定着部３３５に搬送され、定着部３３５の熱と圧力により現像剤は記像紙に定着される。定着部３３５を通過した記録紙は、排出ローラ３３６によって排出され、排紙ユニット３７０は排出された記録紙を束ねて記録紙の仕分けをしたり、仕分けされた記録紙のステイプルを行い、排紙トレイ３７１、３７２、３７３に排出する。
【００２０】
又、両面記録が設定されている場合は、排出ローラ３３６のところまで記録紙を搬送した後、排出ローラ３３６の回転方向を逆転させ、フラッパ３３７によって再給紙搬送路３３８へ導く。再給紙搬送路３３８へ導かれた記録紙は、上述したタイミングで転写ベルト３３４へ給紙される。
［リーダー画像処理部の説明］
図４はリーダー画像処理部２２２の詳細な構成を示すブロック図である。
【００２１】
このリーダー画像処理部２２２では、プラテンガラス２１１上の原稿はＣＣＤ２１８に読み取られて、電気信号に変換される（ＣＣＤ２１８はカラーセンサの場合、ＲＧＢのカラーフィルタが１ラインＣＣＤ上にＲＧＢ順にインラインに載ったものでも、３ラインＣＣＤで、それぞれＲフィルタ・Ｇフィルタ・ＢフィルタをそれぞれのＣＣＤごとに並べたものでも構わないし、フィルタがオンチップ化又は、フィルタがＣＣＤと別構成になったものでも構わない）。そして、その電気信号（アナログ画像信号）は画像処理部２２２に入力され、クランプ＆Ａｍｐ．＆Ｓ／Ｈ＆Ａ／Ｄ部４０１でサンプルホールド（Ｓ／Ｈ）され、アナログ画像信号のダークレベルを基準電位にクランプし、所定量に増幅され（上記処理順番は表記順とは限らない）、Ａ／Ｄ変換されて、例えば、ＲＧＢ各８ビットのディジタル信号に変換される。そして、ＲＧＢ信号はシェーディング部４０２で、シェーディング補正及び黒補正が施された後、制御装置１１０へと出力される。
［制御装置の説明］
制御装置１１０の機能を、図３に示すブロック図をもとに説明する。
【００２２】
メインコントローラ１１１は、主にＣＰＵ１１２と、バスコントローラ１１３、各種Ｉ／Ｆコントローラ回路とから構成される。
【００２３】
ＣＰＵ１１２とバスコントローラ１１３は、制御装置１１０全体の動作を制御するものであり、ＣＰＵ１１２は、ＲＯＭ１１４からＲＯＭ  Ｉ／Ｆ１１５を経由して読込んだプログラムに基いて動作する。又、ホストコンピュータから受信したＰＤＬ（ページ記述言語）コードデータを解釈し、ラスターイメージデータに展開する動作も、このプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。
【００２４】
ＤＲＡＭ１１６は、ＤＲＡＭ  Ｉ／Ｆ１１７によってメインコントローラ１１１と接続されており、ＣＰＵ１１２が動作するためのワークエリアや、画像データを蓄積するためのエリアとして使用される。
【００２５】
Ｃｏｄｅｃ１１８は、ＤＲＡＭ１１６に蓄積されたラスターイメージデータをＭＨ／ＭＲ／ＭＭＲ／ＪＢＩＧ／ＪＰＥＧ等の方式で圧縮し、又、逆に圧縮され蓄積されたコードデータをラスターイメージデータに伸長する。ＳＲＡＭ１１９は、Ｃｏｄｅｃ１１８の一時的なワーク領域として使用される。Ｃｏｄｅｃ１１８は、Ｉ／Ｆ１２０を介してメインコントローラ１１１と接続され、ＤＲＡＭ１１６との間のデータの転送は、バスコントローラ１１３によって制御され、ＤＭＡ転送される。
【００２６】
Ｇｒａｐｈｉｃ  Ｐｒｏｃｅｓｓｏｒ１３５は、ＤＲＡＭ１１６に蓄積されたラスターイメージデータに対して、画像回転、画像変倍、色空間変換、二値化の処理をそれぞれ行う。ＳＲＡＭ１３６は、Ｇｒａｐｈｉｃ  Ｐｒｏｃｅｓｓｏｒ１３５の一時的なワーク領域として使用される。Ｇｒａｐｈｉｃ  Ｐｒｏｃｅｓｓｏｒ１３５は、Ｉ／Ｆ１３７を介してメインコントローラ１１１と接続され、ＤＲＡＭ１１６との間のデータの転送は、バスコントローラ１１３によって制御され、ＤＭＡ転送される。
【００２７】
Ｎｅｔｗｏｒｋ  Ｃｏｎｔｒｏｌｌｅｒ１２１は、Ｉ／Ｆ１２２によってメインコントローラ１１１と接続され、コネクタ１２２によって外部ネットワークと接続される。ネットワークとしては一般的にイーサネットが挙げられる。
【００２８】
汎用高速バス１２５には、拡張ボードを接続するための拡張コネクタ１２４とＩ／Ｏ制御部１２６とが接続される。汎用高速バスとしては、一般的にＰＣＩバスが挙げられる。
【００２９】
Ｉ／Ｏ制御部１２６には、リーダー部２００、プリンタ部３００の各ＣＰＵと制御コマンドを送受信するための調歩同期シリアル通信コントローラ１２７が２チャンネル装備されており、Ｉ／Ｏバス１２８によって外部Ｉ／Ｆ回路１４０、１４５に接続されている。
【００３０】
パネルＩ／Ｆ１３２は、ＬＣＤコントローラ１３１に接続され、操作部１５０上の液晶画面に表示を行うためのＩ／Ｆと、ハードキーやタッチパネルキーの入力を行うためのキー入力Ｉ／Ｆ１３０とから構成される。
【００３１】
操作部１５０は、液晶表示部と液晶表示部上に張り付けられたタッチパネル入力装置と、複数個のハードキーを有する。タッチパネル又はハードキーにより入力された信号は前述したパネルＩ／Ｆ１３２を介してＣＰＵ１１２に伝えられ、液晶表示部はパネルＩ／Ｆ５２０から送られてきた画像データを表示するものである。液晶表示部には、本画像形成装置の操作における機能表示や画像データ等を表示する。
【００３２】
リアルタイムクロックモジュール１３３は、機器内で管理する日付と時刻を更新/保存するためのもので、バックアップ電池１３４によってバックアップされている。
【００３３】
Ｅ−ＩＤＥインタフェース１６１は、外部記憶装置を接続するためのものである。本実施の形態においては、このＩ／Ｆを介してハードディスクドライブ１６０を接続し、ハードディスク１６２へ画像データを記憶させたり、ハードディスク１６２から画像データを読み込む動作を行う。
【００３４】
コネクタ１４２と１４７は、それぞれリーダー部２００とプリンタ部３００とに接続され、同調歩同期シリアルＩ／Ｆ（１４２、１４８）とビデオＩ／Ｆ（１４４、１４９）から構成される。
【００３５】
スキャナＩ／Ｆ１４０は、コネクタ１４２を介してリーダー部２００と接続され、又、スキャナバス１４１によってメインコントローラ１１１と接続されており、リーダー部２００から受け取った画像に対して所定の処理を施す機能を有し、更に、リーダー部２００から送られたビデオ制御信号をもとに生成した制御信号を、スキャナバス１４１に出力する機能も有する。
【００３６】
スキャナバス１４１からＤＲＡＭ１１６へのデータ転送は、バスコントローラ１１３によって制御される。
【００３７】
プリンタＩ／Ｆ１４５は、コネクタ１４７を介してプリンタ部３００と接続され、又、プリンタバス１４６によってメインコントローラ１１１と接続されており、メインコントローラ１１１から出力された画像データに所定の処理を施して、プリンタ部３００へ出力する機能を有し、更に、プリンタ部３００から送られたビデオ制御信号を基に生成した制御信号を、プリンタバス１４６に出力する機能も有する。
【００３８】
ＤＲＡＭ１１６上に展開されたラスターイメージデータのプリンタ部への転送は、バスコントローラ１１３によって制御され、プリンタバス１４６、ビデオＩ／Ｆ１４９を経由して、プリンタ部３００へＤＭＡ転送される。
［コピー画像出力時のシーケンス］
図４は、本実施の形態におけるコピー画像出力の手順を示すフローチャートである。尚、図中のＳ４００１〜Ｓ４００７は各ステップを示す。
【００３９】
コピー画像を出力する場合、Ｓ４００１では、操作部１５０上でユーザーが当該コピー画像出力ジョブのコピー設定を行う。コピー設定内容は、部数、用紙サイズ、片面/両面、拡大/縮小率、ソート出力、ステイプル止めの有無等である。
【００４０】
Ｓ４００２では、操作部１５０上でコピー開始指示を与えると、制御装置１１０のメインコントローラ１１１はスキャナＩ／Ｆ１４０及びコネクタ１４２を介してリーダー部２００を制御し、原稿の画像データの読み込み動作を行う。
【００４１】
先ず、原稿給送ユニット２５０は、載置された原稿を１枚ずつプラテンガラス２１１上へ給送し、その際、同時に原稿のサイズを検知する。検知された原稿のサイズに基づいて原稿を露光走査することにより、画像データを読み取る。読み取られた画像データは、ＤＲＡＮ１１６上に記憶される。
【００４２】
従来のコピー機では、前記コピー設定の拡大/縮小率の設定に応じて、即ち、副走査方向の変倍率に応じて光学ユニット２１３の移動速度を変化させることにより、副走査方向の変倍処理を実現していた。
【００４３】
しかしながら、本実施の形態では、前記コピー設定の拡大/縮小率の設定に関わらず、必ず等倍（１００％）で画像データを読み取り、変倍処理については、主走査方向、副走査方向ともに、後述するＧｒａｐｈｉｃ  Ｐｒｏｃｅｓｓｏｒ１３５によって行うものとする。
【００４４】
Ｓ４００３では、メインコントローラ１１１がＤＲＡＭ１１６上の画像データを、Ｇｒａｐｈｉｃ  Ｐｒｏｃｅｓｓｏｒ１３５に転送する。
【００４５】
Ｓ４００４では、Ｇｒａｐｈｉｃ  Ｐｒｏｃｅｓｓｏｒ１３５が、前記コピー設定パラメータに基づいて画像処理を行う。例えば、拡大４００％の設定がなされているときには、Ｇｒａｐｈｉｃ  Ｐｒｏｃｅｓｓｏｒ１３５内のモジュールである画像変倍部を用いて主走査方向、副走査方向、双方への変倍処理を行う。画像データの画像処理が完了するとＳ４００５へ進む。
【００４６】
Ｓ４００５では、Ｇｒａｐｈｉｃ  Ｐｒｏｃｅｓｓｏｒ１３５がメインコントローラ１１１へ画像処理後の画像データを転送する。メインコントローラ１１１は転送されてきた画像データをＤＲＡＭ１１６上に記憶する。
【００４７】
Ｓ４００６では、メインコントローラ１１１は、プリンタＩ／Ｆ１４５及びコネクタ１４７を介して、プリンタ部３００を制御しつつ、適切なタイミングでＤＲＡＭ１１６上の画像データを、プリンタ部３００へと転送する。
【００４８】
Ｓ４００７では、制御装置１１０がプリンタ部３００を制御して画像データをプリント出力する。画像データの転送が完了すると、即ち、当該コピージョブが終了すると、プリント出力を終了する。
［プレビュー操作を含む全体シーケンスの説明］
図５は、実施例のプレビュー操作を含む全体シーケンスを示すフローチャート図である。尚、図中のＳ１００１〜Ｓ１０１１は各ステップを表す。
【００４９】
コピーを行う場合の画像を出力するシーケンスについては、図４で説明した通りであり、ここでは、コピー画像を出力後の動作を中心に全体シーケンスについて説明する。
【００５０】
Ｓ１００１でのコピースタート及びＳ１００２でのプリント出力動作は、図４で説明したとおりであり、Ｓ１００３からの説明を行う。
【００５１】
Ｓ１００３では、現在動作しているコピージョブの最終出力であるかのチェックを行っている。もし、最終の出力ではない場合、Ｓ１００２のプリント出力シーケンスへ戻り、次のページのプリント出力を行う。Ｓ１００３で最終出力であると判断されると、次のステップＳ１００４へ進む。
【００５２】
Ｓ１００４では、そのＤＲＡＭ１１６上に記憶されている最終出力の画像と排紙段を対応させてテーブルとして保存する。プレビュー画像と排紙段を対応させたテーブルは図６に示すように、給紙段ＩＤ１１０１と画像ファイル１１０２を対応させたテーブルである。給紙段ＩＤ１１０１は実際の排出段１１０４〜１１０６にそれぞれ１〜３を割り当てている。
【００５３】
本実施の形態では３個の排紙段で説明しているが、個数に限定されず、排紙段が何段でも同様にテーブルを作ることが可能である。又、各排紙段ＩＤに対応する画像ファイルは１個であるため、同じ排紙段に複数ジョブ出力した場合は、最後のジョブの最終出力の画像ファイルを示すことになる。排紙段ＩＤと画像ファイルのテーブルを作成すれば、Ｓ１００５へ進み、コピー終了である。次のステップはＳ１００６であるが、このステップはＳ１００５の直後でなくても良く、又、Ｓ１００６の前に他のジョブを実行しても良い。
【００５４】
Ｓ１００６でプレビューを行う場合は、操作部１５０上で本実施例では図示していない排紙段プレビューボタンを押下し、図７に示す排紙段プレビュー画面に移動する。プレビューを行わない場合はＳ１０１０へ進む。
【００５５】
ここで、図７は本発明の実施の形態に係る画像形成装置の操作部１５０の液晶表示パネルに表示される排紙段ごとのプレビュー画面を示す説明図である。プレビュー画面１２０１は各排紙段ごとの画像を表示する部分である。１２０２はこの画像形成装置の外観図が表示されており、使用できる排紙段についての情報が表示されている。図７では排紙段は１から３まであり、それぞれの排紙段の場所が表示されている。
【００５６】
Ｓ１００７では、プレビューを表示させたい排紙段を選択する。図７の画面はタッチパネルになっており、排紙段１キー１２０３、排紙段２キー１２０４、排紙段３キー１２０５の各種ボタンを触れることにより、それぞれの排紙段を選択したことになる。
【００５７】
Ｓ１００８では、Ｓ１００７で選択された排紙段に対応する画像ファイルがあるか図６のテーブルをチェックする。対応する画像ファイルがある場合は、Ｓ１００９へ進み、対応する画像がない場合には何もしない。必要であれば、対応する画像ファイルがなくプレビューを表示できない旨、即ち、その排紙段に出力された印刷物がないことを、通知しても良い。
【００５８】
Ｓ１００９では、Ｓ１００７で選択された排紙段に対応するＤＲＡＭ１１６上に保存されている画像をプレビュー画面１２０１に表示する。表示する際に、必要であれば、メインコントローラ１１１がＤＲＡＭ１１６上の画像データを、Ｇｒａｐｈｉｃ  Ｐｒｏｃｅｓｓｏｒ１３５に転送し、プレビュー画像用の画像処理を行うこともできる。
【００５９】
Ｓ１００６で図７の排紙段プレビュー画面に入り、Ｓ１００７からＳ１００９の操作を繰り返すことにより、自分の出力した出力物がどの排紙段に出力されたかを簡単に確認することができる。
【００６０】
Ｓ１０１０では、排紙段から出力物を取り除く作業を行う。排紙段から出力物が取り除かれたことを検知すると、Ｓ１０１１のステップで図６のテーブルからその排紙段ＩＤに対応する画像ファイルを削除する。
【００６１】
本実施の形態では、コピー動作での説明を行ったが、勿論ＰＤＬや他のプリントジョブでも同様の操作が可能である。
【図面の簡単な説明】
【００６２】
【図１】本装置の全体構成を示すブロック図である。
【図２】本装置のリーダ部及びプリンタ部の外観図である。
【図３】本装置の制御装置部のブロック図である。
【図４】コピー画像出力時のシーケンスを説明する図である。
【図５】プレビュー操作を含む全体シーケンスを説明する図である。
【図６】プレビュー画像と排紙段IDのテーブルを示す説明図である。
【図７】排紙段ごとのプレビュー画面を説明する図である。
【符号の説明】
【００６３】
１１０      制御装置
１１１      メインコントローラ
１１２      ＣＰＵ
１１３      バスコントローラ
１１４      ＲＯＭ
１１５      ＲＯＭ  Ｉ／Ｆ
１１６      ＤＲＡＭ
１１７      ＤＲＡＭ  Ｉ／Ｆ
１１８      Ｃｏｄｅｃ
２００      リーダー部
２１３      光学ユニット
２２２      リーダー画像処理部
２５０      原稿給送ユニット
３００      プリンタ部
３３５      定着部
３３６      排出ローラ
３６０      用紙カセット
３６１      用紙カセット
３６２      手差しトレイ
【図１】
2006264193.tif 000003
【図２】
2006264193.tif 000004
【図３】
2006264193.tif 000005
【図４】
2006264193.tif 000006
【図５】
2006264193.tif 000007
【図６】
2006264193.tif 000008
【図７】
2006264193.tif 000009